(57)【要約】【課題】生産性に優れるとともに、ＰＴＰシートから収容物を容易かつ確実に取り出すことが可能なＰＴＰシートを提供する。【解決手段】ＰＴＰシートは、内部空間に収容物が収容される複数の突出部、及び突出部の周囲に形成され隣接する突出部を接続するフランジ部、を有する成形シートと、複数の突出部の夫々の内部空間の開口面を塞ぐように成形シートに貼り合わされる薄厚シートと、成形シート側の面に貼り合わされる飛散防止シートと、を有する。飛散防止シートは、突出部の夫々の開口面に対応する領域に形成された複数の略短冊状の切込形成領域を有し、切込形成領域が、隣接する複数の帯状領域を形成するための複数の第１切込線と、帯状領域の夫々に形成され帯状領域を分断するための第２切込線とを有する。第２切込線が帯状領域を分断することにより形成される２つの短冊片は、夫々の長手方向の長さが異なる。【選択図】図２Ｂ
2020104906.tif 000002
【特許請求の範囲】
【請求項１】
内部空間に収容物が収容される複数の突出部、及び前記突出部の周囲に形成され隣接する前記突出部を接続するフランジ部、を有する成形シートと、前記複数の突出部の夫々の前記内部空間の開口面を塞ぐように前記成形シートに貼り合わされる薄厚シートと、を有するＰＴＰシートの前記成形シート側の面に貼り合わされ、
前記複数の突出部の夫々の前記開口面に対応する領域に形成された複数の略短冊状の切込形成領域を有する
ことを特徴とする飛散防止シート。
【請求項２】
請求項１に記載の飛散防止シートであって、
前記切込形成領域は、隣接する複数の帯状領域を形成するための複数の第１切込線と、前記帯状領域の夫々に形成され前記帯状領域を分断するための第２切込線と、を有する
ことを特徴とする飛散防止シート。
【請求項３】
請求項２に記載の飛散防止シートであって、
前記第２切込線が前記帯状領域を分断することにより形成される２つの短冊片は、夫々の長手方向の長さが異なる
ことを特徴とする飛散防止シート。
【請求項４】
請求項１に記載の飛散防止シートであって、
少なくとも前記複数の突出部の夫々の前記開口面に対応する領域が透明である
ことを特徴とする飛散防止シート。
【請求項５】
請求項１に記載の飛散防止シートであって、
前記ＰＴＰシートよりも剛性の高い素材からなる
ことを特徴とする飛散防止シート。
【請求項６】
請求項２に記載の飛散防止シートであって、
前記第２切込線はつなぎ部分を有する
ことを特徴とする飛散防止シート。
【請求項７】
請求項１に記載の飛散防止シートであって、
前記ＰＴＰシートは、当該ＰＴＰシートを所定数の前記突出部を含む、誤飲が不可能な大きさの複数の素片に分離するための一つ以上の破断線を有し、
当該飛散防止シートは、前記破断線に対応する位置に破断線を有する
ことを特徴とする飛散防止シート。
【請求項８】
請求項７に記載の飛散防止シートであって、
前記ＰＴＰシートは、当該ＰＴＰシートを単数の前記突出部を含む複数の素片に分離するための一つ以上の破断線を有する
ことを特徴とする飛散防止シート。
【請求項９】
内部空間に収容物が収容される複数の突出部、及び前記突出部の周囲に形成され隣接する前記突出部を接続するフランジ部、を有する成形シートと、前記複数の突出部の夫々の前記内部空間の開口面を塞ぐように前記成形シートに貼り合わされる薄厚シートと、前記成形シート側の面に貼り合わされる飛散防止シートと、
を有するＰＴＰシートであって、
前記飛散防止シートは、前記複数の突出部の夫々の前記開口面に対応する領域に形成された複数の略短冊状の切込形成領域を有する
ことを特徴とするＰＴＰシート。
【請求項１０】
請求項９に記載のＰＴＰシートであって、
前記切込形成領域は、隣接する複数の帯状領域を形成するための複数の第１切込線と、前記帯状領域の夫々に形成され前記帯状領域を分断するための第２切込線と、を有する
ことを特徴とするＰＴＰシート。
【請求項１１】
請求項１０に記載のＰＴＰシートであって、
前記第２切込線が前記帯状領域を分断することにより形成される２つの短冊片は、夫々の長手方向の長さが異なる、
ことを特徴とするＰＴＰシート。
【請求項１２】
請求項９に記載のＰＴＰシートであって、
少なくとも前記複数の突出部の夫々の前記開口面に対応する領域が透明である、
ことを特徴とするＰＴＰシート。
【請求項１３】
内部空間に収容物が収容される複数の突出部、及び前記突出部の周囲に形成され隣接する前記突出部を接続するフランジ部、を有する成形シートと、前記複数の突出部の夫々の前記内部空間の開口面を塞ぐように前記成形シートに貼り合わされる薄厚シートとを有するＰＴＰシートの製造方法であって、
前記複数の突出部の夫々の前記開口面に対応する領域に形成された複数の略短冊状の切込形成領域を有する飛散防止シートを、前記成形シート側の面に貼り合わせる
ことを特徴とする、ＰＴＰシートの製造方法。
【請求項１４】
請求項１３に記載のＰＴＰシートの製造方法であって、
前記ＰＴＰシートの薄厚シート側の面に前記飛散防止シートを接着剤により貼り合わせ、前記切込形成領域に対応する領域には前記接着剤を塗布しない
ことを特徴とする、ＰＴＰシートの製造方法。
【発明の詳細な説明】
【技術分野】
【０００１】
この発明は、飛散防止シート、ＰＴＰシート、及びＰＴＰシートの製造方法に関する。
【背景技術】
【０００２】
特許文献１には、ＰＴＰシートの収容物を容易且つ確実に取り出せるようにするためにＰＴＰシートに台紙を取り付けて包装した包装体について記載されている。上記包装体は、錠剤を収容したプラスチック成形体に、破断可能な薄形シートが貼り付けられたＰＴＰシートに取り付けられる台紙であって、ＰＴＰシートの薄形シート側の面に取り付けられる第１側面と、ＰＴＰシートのプラスチック成形体側の面に取り付けられ第１側面に重ねられ、ＰＴＰシートを第１側面とで挟んで保持する第２側面を備え、第１側面と第２側面には、互いに重ねられた時に互いに一致する折罫線を備え、第１側面には、折罫線の途中に設けられ折罫線から側方に突出して中央部分で折り返されて再び折罫線に達する切断線を有し、切断線の内側で第２側面に重ねられる面に設けられた接着剤を備える。
【０００３】
特許文献２には、包装体を取り付けたＰＴＰシートから収容物を容易かつ確実に取り出すことができるようにするようにしたＰＴＰシートの包装体が記載されている。ＰＴＰシートの包装体は、ＰＴＰシートの成形シート側の面に重ねて設けられる第１シートと、ＰＴＰシートの薄厚シート側の面に第１シートに重ねて設けられる第２シートとを含む。第１シートは、突出部が嵌合される嵌め孔を有し、第２シートは、第２シートが薄厚シート側の面に重ねて設けられた際に突出部の開口面に対向する位置に、収容物の輪郭が収まる程度の広さで形成された略短冊状の切込形成領域を有する。切込形成領域は、隣接する複数の帯状領域を形成する複数の第１切込線と、帯状領域の夫々に形成され帯状領域を分断する第２切込線とを有する。
【先行技術文献】
【特許文献】
【０００４】
【特許文献１】特開２０１６−１３８３９号公報
【特許文献２】特開２０１７−１５４７７５号公報
【発明の概要】
【発明が解決しようとする課題】
【０００５】
薬剤（錠剤やカプセル等）等の収容物を収容する包装体としてＰＴＰシート（PTP:Press Through Package）がある。ＰＴＰシートは、板状樹脂（透明の板状プラスチック等）をバキュームフォーム等で成形することにより構成され、収容物が収容される突出部と当該突出部の周囲に形成されるフランジ部とを有する成形シートと、当該成形シートの突出部の内部空間を塞ぐように成形シートに重ねて設けられるアルミシート（アルミフィルム）等からなる薄厚シートと、を有する。
【０００６】
上記の構成を有するＰＴＰシートからの収容物の取り出しは、上記の突出部を親指等で薄厚シートの方向に内部に収容されている収容物とともに押し込み、薄厚シートを破断させることにより行う。しかしこの操作にはそれなりの力が必要であり、例えば、力の弱い者や高齢者等はＰＴＰシートから上手に薬剤を取り出すことができないことがある。また例えば、両手を使って力を込めて薄厚シートを破断させると勢い余って薬剤が飛散し、薬剤を汚してしまったり紛失してしまったりすることがある。
【０００７】
特許文献１，２では、ＰＴＰシートの収容物を容易かつ確実に取り出すことができるようにするために、ＰＴＰシートに所定構造を有する包装体を取り付けている。しかしいずれも包装体の構造が複雑である上、ＰＴＰシートに包装体を取り付ける工程も煩雑である。
【０００８】
本発明はこうした背景に鑑みてなされたもので、生産性に優れるとともに、ＰＴＰシートから収容物を容易かつ確実に取り出すことを可能にする飛散防止シート、当該飛散防止シートを用いたＰＴＰシート、及び当該ＰＴＰシートの製造方法を提供することを目的とする。
【課題を解決するための手段】
【０００９】
上記目的を達成するための本発明の一つは、飛散防止シートであって、内部空間に収容物が収容される複数の突出部、及び前記突出部の周囲に形成され隣接する前記突出部を接続するフランジ部、を有する成形シートと、前記複数の突出部の夫々の前記内部空間の開口面を塞ぐように前記成形シートに貼り合わされる薄厚シートと、を有するＰＴＰシートの前記成形シート側の面に貼り合わされ、前記複数の突出部の夫々の前記開口面に対応する領域に形成された複数の略短冊状の切込形成領域を有する。
【００１０】
また本発明の他の一つは、上記飛散防止シートであって、前記切込形成領域は、隣接する複数の帯状領域を形成するための複数の第１切込線と、前記帯状領域の夫々に形成され前記帯状領域を分断するための第２切込線と、を有する。
【００１１】
本発明の飛散防止シートによれば、ＰＴＰシートから収容物を取り出す際、収容物が短冊片に絡み取られるので、ユーザはＰＴＰシートから収容物を取り出す際に収容物を紛失したり汚したりすることがなく、容易かつ確実にＰＴＰシートに収容されている収容物を取り出すことができる。また本発明の飛散防止シートは、既存の製造工程で製造されたＰＴＰシートに貼り合わせるだけで容易に製造することができ、生産性に優れるとともに、既存の製造工程で製造されるＰＴＰシートについても容易に飛散防止機能を設けることができる。
【００１２】
また本発明の他の一つは、上記飛散防止シートであって、前記第２切込線が前記帯状領域を分断することにより形成される２つの短冊片は、夫々の長手方向の長さが異なる。
【００１３】
このように、本発明の飛散防止シートは、２つの短冊片の長手方向の長さが異なるので、薄厚シートが破断して取り出された収容物には、複数の短冊片が、収容物の様々な部位に様々な方向から当接し、収容物にはその多様な部位に多様な方向から力が作用し、その結果、収容物は短冊片に落下や横ずれ等が生じにくい状態で確実に保持され、ユーザは容易かつ確実に収容物を取り出すことができる。
【００１４】
本発明の他の一つは、上記飛散防止シートであって、少なくとも前記複数の突出部の夫々の前記開口面に対応する領域が透明であることとする。
【００１５】
このように、飛散防止シートの、少なくとも複数の突出部の夫々の開口面に対応する領域を透明にすることで、収容物の取り出しに際してユーザは収容物の状態を容易に視認することができ、ユーザはＰＴＰシートから効率よく確実に収容物を取り出すことができる。
【００１６】
本発明の他の一つは、上記飛散防止シートであって、貼り合わされる上記ＰＴＰシートよりも剛性の高い素材からなることとする。
【００１７】
このように飛散防止シートの素材としてＰＴＰシートよりも剛性の高い素材を用いることで、ＰＴＰシートの剛性を高めることができ、収容物の取り出しを容易にすることができる。
【００１８】
本発明の他の一つは、上記飛散防止シートであって、前記第２切込線はつなぎ部分を有する。
【００１９】
このように第２切込線につなぎ部分を設けることで、ＰＴＰシートの製造時等において飛散防止シートを湾曲させた際、短冊片が飛散防止シートの表面から突出してしまうのを防ぐことができ、製造工程等においてロール状に巻回された飛散防止シートを引き出す場合等に短冊片が突出することにより生じる不都合を防ぐことができる。
【００２０】
本発明の他の一つは、上記飛散防止シートであって、前記ＰＴＰシートは、当該ＰＴＰシートを所定数の前記突出部を含む、誤飲が不可能な大きさの複数の素片に分離するための一つ以上の破断線を有し、当該飛散防止シートは、前記破断線に対応する位置に破断線を有することとする。
【００２１】
本発明の他の一つは、上記飛散防止シートであって、前記ＰＴＰシートは、当該ＰＴＰシートを単数の前記突出部を含む複数の素片に分離するための一つ以上の破断線を有し、当該飛散防止シートは、前記破断線の夫々に対応する位置に破断線を有することとする。
【００２２】
このようにＰＴＰシート及び飛散防止シートに単数の前記突出部を含む複数の素片に分離するための破断線を形成することで、収容物の数の管理が容易になるとともに、飛散防止シートが貼り合わされたＰＴＰシートを誤飲が不可能な大きさの複数の素片に分離されるようにユーザの分離操作を誘導することができ、ＰＴＰシートの誤飲を確実に防ぐことができる。
【００２３】
本発明の他の一つは、内部空間に収容物が収容される複数の突出部、及び前記突出部の周囲に形成され隣接する前記突出部を接続するフランジ部、を有する成形シートと、前記複数の突出部の夫々の前記内部空間の開口面を塞ぐように前記成形シートに貼り合わされる薄厚シートと、前記成形シート側の面に貼り合わされる飛散防止シートと、を有するＰＴＰシートであって、前記飛散防止シートは、前記複数の突出部の夫々の前記開口面に対応する領域に形成された複数の略短冊状の切込形成領域を有することとする。
【００２４】
本発明の他の一つは、上記ＰＴＰシートであって、前記切込形成領域は、隣接する複数の帯状領域を形成する複数の第１切込線と、前記帯状領域の夫々に形成され前記帯状領域を分断する第２切込線とを有する。
【００２５】
本発明の他の一つは、上記ＰＴＰシートであって、前記第２切込線が前記帯状領域を分断することにより形成される２つの短冊片は、夫々の長手方向の長さが異なることとする。
【００２６】
本発明の他の一つは、上記ＰＴＰシートであって、少なくとも前記複数の突出部の夫々の前記開口面に対応する領域が透明であることとする。
【００２７】
本発明の他の一つは、内部空間に収容物が収容される複数の突出部、及び前記突出部の周囲に形成され隣接する前記突出部を接続するフランジ部、を有する成形シートと、前記複数の突出部の夫々の前記内部空間の開口面を塞ぐように前記成形シートに貼り合わされる薄厚シートとを有するＰＴＰシートの製造方法であって、前記複数の突出部の夫々の前記開口面に対応する領域に形成された複数の略短冊状の切込形成領域を有する飛散防止シートを、前記成形シート側の面に貼り合わせることとする。
【００２８】
本発明の他の一つは、ＰＴＰシートの薄厚シート側の面に前記飛散防止シートを接着剤により貼り合わせ、前記切込形成領域に対応する領域に前記接着剤を塗布しないこととする。
【００２９】
本発明によれば、収容物を取り出す際に収容物を飛散防止シートの短冊片により絡み取る機能を確実に発揮させることができる。
【００３０】
その他、本願が開示する課題、及びその解決方法は、発明を実施するための形態の欄、及び図面により明らかにされる。
【発明の効果】
【００３１】
本発明によれば、生産性に優れるとともにＰＴＰシートから収容物を容易かつ確実に取り出すことが可能なＰＴＰシートを提供することができる。
【図面の簡単な説明】
【００３２】
【図１Ａ】基本ＰＴＰシートを斜め上方（表面側）から眺めた斜視図である。
【図１Ｂ】基本ＰＴＰシートを斜め下方（裏面側）から眺めた斜視図である。
【図２Ａ】本実施形態のＰＴＰシートを斜め上方（表面側）から眺めた斜視図である。
【図２Ｂ】本実施形態のＰＴＰシートを斜め下方（裏面側）から眺めた斜視図である。
【図３】飛散防止シートの平面図である。
【図４Ａ】ＰＴＰシートからユーザが収容物を取り出す手順を説明する図である。
【図４Ｂ】ＰＴＰシートからユーザが収容物を取り出す手順を説明する図である。
【図５Ａ】ＰＴＰシートの他の構成を示す図である。
【図５Ｂ】ＰＴＰシートの他の構成を示す図である。
【発明を実施するための形態】
【００３３】
以下、本発明の一実施形態を図面とともに説明する。尚、以下の説明において、同一の又は類似する構成について同一の符号を付して重複した説明を省略することがある。
【００３４】
［基本となるＰＴＰシート］
図１Ａ及び図１Ｂは、後述する飛散防止シート２０が貼り合わされるＰＴＰシート（以下、「基本ＰＴＰシート８」と称する。）の構成を示す図である。図１Ａは基本ＰＴＰシート８を斜め上方（表面側）から眺めた斜視図、図１Ｂは基本ＰＴＰシート８を斜め下方（裏面側）から眺めた斜視図である。
【００３５】
これらの図に示すように、基本ＰＴＰシート８は、四隅が角取りされた略長方形状の平面外形状を有する。基本ＰＴＰシート８は、薬剤（錠剤やカプセル等）等の収容物２を密封した状態で収容する。例示する基本ＰＴＰシート８は、１０個（＝５行×２列）の収容物２を収容可能なタイプである。また例示する基本ＰＴＰシート８は、例えば、例示する基本ＰＴＰシート８に相当する構成が複数個平面的に連設された一枚のシートから切り出されたものである。
【００３６】
基本ＰＴＰシート８は、その内部空間８０に収容物２が収容される１０個の突出部８１１並びに突出部８１１の周囲に形成されるフランジ部８１２を有する成形シート８１と、突出部８１１の内部空間８０の開口面８１３を塞ぐように成形シート８１の裏面側に貼り合わされた薄厚シート８２とを有する。フランジ部８１２は隣接する突出部８１１を接続する。尚、本例では、突出部８１１を略円筒状としているが、突出部８１１は収容物２の大きさや輪郭等に応じて様々な形状を取り得る。
【００３７】
成形シート８１は、例えば、樹脂（ＰＥＴ（PolyEthylene Terephthalate）、ＰＰ（PolyPropylene）、ポリ塩化ビニル（polyvinyl chloride））シートや金属シート（アルミシート等）を成形することにより形成したものである。また薄厚シート８２の素材としては、例えば、破断可能かつ密封性に優れた金属シート（アルミシート等）が選択される。尚、同等以上の機能を発揮することができるのであれば、成形シート８１や薄厚シート８２の素材は必ずしも限定されず、例えば、パルプ（紙）材等を用いてもよい。薄厚シート８２は、成形シート８１の突出部８１１の周囲に形成されているフランジ部８１２に熱圧着等により接着される。
【００３８】
同図に示すように、基本ＰＴＰシート８は、その短辺に平行に複数の（本例では５つの）破断線８５（ミシン目等）が形成されている。本例では、基本ＰＴＰシート８自体の誤飲を防ぐべく大き目のサイズで基本ＰＴＰシート８が分離されるように、収容物２の２つ分を単位として基本ＰＴＰシート８が分離されるように破断線８５が形成されている。
【００３９】
薄厚シート８２には収容物２に関する情報が記載されることもある。基本ＰＴＰシート８からの収容物２の取り出しは、例えば、突出部８１１を親指等で薄厚シート８２の方向に内部空間８０に収容されている収容物２とともに押し込み、薄厚シート８２を破断させることにより行われる。
【００４０】
［実施形態のＰＴＰシート］
図２Ａ及び図２Ｂは、本発明の一実施形態として示すＰＴＰシート１０の構成を示す図である。図２ＡはＰＴＰシート１０を斜め上方（表面側）から眺めた斜視図、図２ＢはＰＴＰシート１０を斜め下方（裏面側）から眺めた斜視図である。図２Ｂに示すように、ＰＴＰシート１０は、図１Ａ及び図１Ｂに示した基本ＰＴＰシート８の裏面側に飛散防止シート２０を貼り合わせた構造を有する。
【００４１】
図３に飛散防止シート２０の平面図を示す。例示する飛散防止シート２０の平面外形（輪郭）形状は、基本ＰＴＰシート８の平面外形形状と一致しており、略長方形状を呈する。飛散防止シート２０は、製造時に要求される柔軟性（ロール可能性）を確保するために、例えば、０．１ｍｍ程度の厚さとするが、必ずしも限定されない。尚、本例では、このように飛散防止シート２０の平面外形形状を基本ＰＴＰシート８と一致させているが、飛散防止シート２０の平面外形形状は必ずしも限定されない。
【００４２】
同図に示すように、飛散防止シート２０の、突出部８１１の開口面８１３に対向する領域には、収容物２の輪郭が収まる程度の広さで形成された略短冊状の切込形成領域５２１が形成されている。同図に示すように、例示する飛散防止シート２０には、基本ＰＴＰシート８の１０個の突出部８１１の夫々の開口面８１３に対応する各位置に切込形成領域５２１が形成されている。
【００４３】
同図に示すように、切込形成領域５２１は、隣接する複数の帯状領域５２５を形成する、飛散防止シート２０の長辺に平行な複数（本例では７つ）の第１切込線５２１１と、帯状領域５２５の夫々に形成され当該帯状領域５２５を分断して２つの短冊片５２５１，５２５２を形成する、飛散防止シート２０の短辺に平行な第２切込線５２１２（本例では６つ）とを含む。
【００４４】
同図に示すように、短冊片５２５１，５２５２は、夫々の長手方向の長さが異なる。尚、本例では、第１切込線５２１１を飛散防止シート２０の長辺に平行に設けているが、第１切込線５２１１は、必ずしも飛散防止シート２０の長辺に平行でなくてもよい。また本例では、第２切込線５２１２を飛散防止シート２０の短辺に平行に設けているが、第２切込線５２１２は、必ずしも飛散防止シート２０の短辺に平行でなくてもよい。
【００４５】
同図に示すように、飛散防止シート２０は、基本ＰＴＰシート８に貼り合わされた状態で、基本ＰＴＰシート８の破断線８５に対応する位置に、破断線８６（ミシン目等）を有する。
【００４６】
以上の構成からなるＰＴＰシート１０は、基本ＰＴＰシート８の裏面側に、例えば、ラベリングマシン等の製造装置を用いて、例えば、ロール状に巻回された状態で供給される飛散防止シート２０を貼り合わせていくことにより容易に製造することができ、生産性、量産性に優れる。
【００４７】
図３に示すように、第２切込線５２１２の中点付近には、つなぎ５２１２ａが形成されている。つなぎ５２１２ａは、ＰＴＰシート１０の製造時（飛散防止シート２０の基本ＰＴＰシート８への貼り合わせ時等）等において飛散防止シート２０を湾曲させた際（飛散防止シート２０をロール状に巻回する等して飛散防止シート２０の長辺が弧状になるように湾曲させた際）に短冊片５２５１，５２５２が飛散防止シート２０の表面から突出してしまうのを防ぐ役割を果たす。尚、同様の機能を確保できるのであれば、第２切込線５２１２におけるつなぎ５２１２ａの位置は必ずしも限定されない。また必要であれば、第１切込線５２１１についてもその所定位置につなぎを設けるようにしてもよい。
【００４８】
基本ＰＴＰシート８への飛散防止シート２０の貼り合わせに際しては、基本ＰＴＰシート８または飛散防止シート２０の接着面に接着剤が塗布される。尚、短冊片５２５１，５２５２の収容物２を絡み取る機能を確実に発揮させるべく、接着剤は飛散防止シート２０の切込形成領域５２１については塗布しないようにする。ＰＴＰシート１０の製造に際し、この接着剤が塗布されない領域は、例えば、飛散防止シート２０の接着剤の塗布面に、接着剤の接着力を低下させるための印字処理を施すことにより容易に形成することができる。
【００４９】
接着剤の種類としては、基本ＰＴＰシート８の接着面の素材や飛散防止シート２０の接着面の素材に適した性質のものが適宜選択される。また接着剤を塗布する領域は、例えば、ＰＴＰシート１０の生産性や利便性を考慮して適切に設定される。基本ＰＴＰシート８への飛散防止シート２０の貼り合わせは、熱圧着等の他の方法により行ってもよい。
【００５０】
［収容物の取り出し］
続いて、以上の構成を有するＰＴＰシート１０からユーザが収容物２を取り出す手順について説明する。
【００５１】
ＰＴＰシート１０から収容物２を取り出す際、ユーザは、まず図４Ａに示すように、ＰＴＰシート１０の成形シート８１の突出部８１１を親指Ｆ等で表面側から裏面側に押し込むようにする。これにより突出部８１１の内部空間８０に収納されていた収容物２が薄厚シート８２の開口面８１３を突き破って内部空間８０から押し出される。
【００５２】
薄厚シート８２の開口面８１３から飛び出した収容物２は、図４Ｂに示すように、飛散防止シート２０の短冊片５２５１，５２５２に絡み取られる。また２つの短冊片５２５１，５２５２は、前述したように夫々長手方向の長さが異なっているので、薄厚シート８２が破断して取り出された収容物２には、複数の短冊片５２５１，５２５２が、収容物２の様々な部位に様々な方向から当接する。さらに第２切込線５２１２は、隣接する帯状領域５２５間で交互に位置が異なっているため、収容物２にはその多様な部位に多様な方向から力が作用し、収容物２は短冊片５２５１，５２５２に落下や横ずれが生じにくい状態で確実に保持される。尚、短冊片５２５１，５２５２は、薄厚シート８２が破断して飛び出した収容物２の運動エネルギーを吸収する緩衝体としても機能し、収容物２が飛散するのを防ぐ役割を果たす。
【００５３】
続いて、ユーザは、短冊片５２５１，５２５２に絡み取られている収容物２をほぐして収容物２を摘まみ取る。
【００５４】
以上のように、ユーザがＰＴＰシート１０から収容物２を取り出す際、収容物２は短冊片５２５１，５２５２に確実に絡み取られる。そのため、収容物２の飛散を防ぐことができ、収容物２を紛失したり汚したりすることがなく、ユーザは容易かつ確実にＰＴＰシートに収容されている収容物２を取り出すことができる。
【００５５】
また本実施形態のＰＴＰシート１０は、既存の製造工程で製造された基本ＰＴＰシート８に飛散防止シート２０を貼り合わせるだけで製造することができ、既存の製造工程で製造された基本ＰＴＰシート８についても容易に飛散防止機能を付加することができる。
【００５６】
尚、飛散防止シート２０の素材としては、透明なものを選択することが好ましい。飛散防止シート２０を透明にすることで、収容物２の取り出しに際しユーザは収容物２の状態を視認可能となり、ユーザは収容物２の状態を確認しつつ、ＰＴＰシート１０から収容物２を効率よく取り出すことができる。
【００５７】
ところで、基本ＰＴＰシート８によっては、成形シート８１と薄厚シート８２の素材が双方ともアルミシートのような柔軟な素材であることもある（例えば、収容物２である薬剤を遮光する必要がある場合等）。その場合、基本ＰＴＰシート８の剛性が低く、収容物２を取り出す際にユーザが突出部８１１にうまく力を加えることができず、収容物２の取り出しが難しいことがある。しかし基本ＰＴＰシート８に飛散防止シート２０を貼り合わせることで剛性も高まるため、収容物２の取り出しも容易になる。尚、飛散防止シート２０の素材として、基本ＰＴＰシート８の素材より剛性が高いものを選択することで、より確実に収容物の取り出しを容易にすることができる。
【００５８】
以上、実施形態について詳述したが、以上の説明は、本発明の理解を容易にするためのものであり、本発明を限定するものではない。本発明は、その趣旨を逸脱することなく、変更、改良され得ると共に、本発明にはその等価物が含まれる。
【００５９】
例えば、図１Ａ及び図１Ｂに示した基本ＰＴＰシート８は、１０個（＝５行×２列）の収容物２を収容可能なタイプであり、収容物２の２つ分を単位として基本ＰＴＰシート８が分離されるように破断線８５が形成されているが、本発明は他の様々なタイプの基本ＰＴＰシート８にも適用することができる。
【００６０】
図５Ａ及び図５Ｂは、他のタイプの基本ＰＴＰシート８に基づくＰＴＰシート１０の例である。例示するＰＴＰシート１０は、４個（＝４行×１列）の収容物２を収容可能なタイプであり、収容物２を１つのみ含んだ単位でＰＴＰシート１０が分離されるように、破断線８５，８６が形成されている。ＰＴＰシート１０をこのような構成とすることで、ユーザは収容物２の数を管理しやすくなり、例えば、収容物２が薬剤である場合、ユーザが一回分の服用量を間違える可能性が低くなる。また分離された個々のシート片のサイズを誤飲が不可能な程度に大きなサイズにすることで、ＰＴＰシート１０自体の誤飲を確実に防ぐことができる。
【符号の説明】
【００６１】
２  収容物、８  基本ＰＴＰシート、１０  ＰＴＰシート、２０  飛散防止シート、８０  内部空間、８１  成形シート、８１１  突出部、８１２  フランジ部、８１３  開口面、８２  薄厚シート、８５  破断線、８６  破断線、５２１  切込形成領域、５２１１  第１切込線、５２１２  第２切込線、５２１２ａ  つなぎ、５２５１，５２５２  短冊片、５２５  帯状領域
【図１Ａ】
2020104906.tif 000003
【図１Ｂ】
2020104906.tif 000004
【図２Ａ】
2020104906.tif 000005
【図２Ｂ】
2020104906.tif 000006
【図３】
2020104906.tif 000007
【図４Ａ】
2020104906.tif 000008
【図４Ｂ】
2020104906.tif 000009
【図５Ａ】
2020104906.tif 000010
【図５Ｂ】
2020104906.tif 000011